(57)【要約】【課題】光学性能に優れるのは勿論のこと、レンズ全長が短く小型で軽量なズームレンズ系、交換レンズ装置及びカメラシステムを提供する。【解決手段】物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とを有し、前記第１レンズ群が、パワーを有する光学素子のみで構成されており、撮像時の広角端から望遠端へのズーミングの際に、少なくとも前記第１レンズ群が像面に対して固定されており、条件：０．７＜｜Ｍ４Ｇ／Ｍ５Ｇ｜＜１１．０（Ｍ４Ｇ：撮像時の広角端から望遠端へのズーミングの際の、第４レンズ群の像面に対する移動量、Ｍ５Ｇ：撮像時の広角端から望遠端へのズーミングの際の、第５レンズ群の像面に対する移動量）を満足するズームレンズ系、交換レンズ装置及びカメラシステム。【選択図】図１
2013218290.tif 000002
【特許請求の範囲】
【請求項１】
少なくとも１枚のレンズ素子で構成されたレンズ群を複数有するズームレンズ系であって、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とを有し、
前記第１レンズ群が、パワーを有する光学素子のみで構成されており、
撮像時の広角端から望遠端へのズーミングの際に、少なくとも前記第１レンズ群が像面に対して固定されており、
以下の条件（１）を満足する、ズームレンズ系：
０．７＜｜Ｍ４Ｇ／Ｍ５Ｇ｜＜１１．０  ・・・（１）
ここで、
Ｍ４Ｇ：撮像時の広角端から望遠端へのズーミングの際の、第４レンズ群の像面に対する移動量、
Ｍ５Ｇ：撮像時の広角端から望遠端へのズーミングの際の、第５レンズ群の像面に対する移動量
である。
【請求項２】
以下の条件（２）を満足する、請求項１に記載のズームレンズ系：
０．５＜ｆＷ／Ｔ１Ｇ＜３．０  ・・・（２）
ここで、
ｆＷ：広角端における全系の焦点距離、
Ｔ１Ｇ：第１レンズ群の光軸上での厚み
である。
【請求項３】
以下の条件（３）を満足する、請求項１に記載のズームレンズ系：
０．４＜ＹＴ／Ｔ１Ｇ＜３．０  ・・・（３）
ここで、
ＹＴ：望遠端における像高、
Ｔ１Ｇ：第１レンズ群の光軸上での厚み
である。
【請求項４】
以下の条件（４）を満足する、請求項１に記載のズームレンズ系：
０．３＜ｆＷ／ＴｉｍｇＧ＜７．０  ・・・（４）
ここで、
ｆＷ：広角端における全系の焦点距離、
ＴｉｍｇＧ：全系の最像側に位置するレンズ群の光軸上での厚み
である。
【請求項５】
以下の条件（５）を満足する、請求項１に記載のズームレンズ系：
０．２＜ＹＴ／ＴｉｍｇＧ＜６．０  ・・・（５）
ここで、
ＹＴ：望遠端における像高、
ＴｉｍｇＧ：全系の最像側に位置するレンズ群の光軸上での厚み
である。
【請求項６】
以下の条件（６）を満足する、請求項１に記載のズームレンズ系：
４．０＜ｆＷ／Ｔａｉｒ１Ｇ２ＧＷ＜３５０．０  ・・・（６）
ここで、
ｆＷ：広角端における全系の焦点距離、
Ｔａｉｒ１Ｇ２ＧＷ：広角端における第１レンズ群と第２レンズ群との空気間隔
である。
【請求項７】
以下の条件（７）を満足する、請求項１に記載のズームレンズ系：
ｎｄ１Ｇ＜１．８２  ・・・（７）
ここで、
ｎｄ１Ｇ：第１レンズ群を構成する光学素子のうち、光軸上での厚みが最も大きい光学素子のｄ線に対する屈折率
である。
【請求項８】
以下の条件（８）を満足する、請求項１に記載のズームレンズ系：
４８＜ｖｄ１Ｇ  ・・・（８）
ここで、
ｖｄ１Ｇ：第１レンズ群を構成する光学素子のうち、光軸上での厚みが最も大きい光学素子のｄ線に対するアッベ数
である。
【請求項９】
像のぶれを光学的に補正するため光軸に対して垂直方向に移動する像ぶれ補正レンズ群を備えており、
撮像時の広角端から望遠端へのズーミングの際に、前記像ぶれ補正レンズ群が像面に対して移動する、請求項１に記載のズームレンズ系。
【請求項１０】
像のぶれを光学的に補正するため光軸に対して垂直方向に移動する像ぶれ補正レンズ群を備えており、
前記像ぶれ補正レンズ群が、レンズ系を構成するいずれか１つのレンズ群の一部である、請求項１に記載のズームレンズ系。
【請求項１１】
撮像時の広角端から望遠端へのズーミングの際に、開口絞りが像面に対して固定されている、請求項１に記載のズームレンズ系。
【請求項１２】
撮像時の広角端から望遠端へのズーミングの際に、全系の最像側に位置するレンズ群が像面に対して固定されている、請求項１に記載のズームレンズ系。
【請求項１３】
撮像時の広角端から望遠端へのズーミングの際に、像面に対して固定されているレンズ群の数と、像面に対して移動するレンズ群の数とが等しい、請求項１に記載のズームレンズ系。
【請求項１４】
以下の条件（９）を満足する、請求項１に記載のズームレンズ系：
ＬＴ／ｆＴ＜１．４５  ・・・（９）
ここで、
ＬＴ：望遠端におけるレンズ全長（望遠端における、第１レンズ群の最物体側面から像面までの距離）、
ｆＴ：望遠端における全系の焦点距離
である。
【請求項１５】
以下の条件（１０）を満足する、請求項１に記載のズームレンズ系：
２．６＜（ｆＴ／ｆＷ）×（ｔａｎ（θＷ））２  ・・・（１０）
ここで、
ｆＴ：望遠端における全系の焦点距離、
ｆＷ：広角端における全系の焦点距離、
θＷ：広角端における半画角（°）
である。
【請求項１６】
以下の条件（１１）を満足する、請求項１に記載のズームレンズ系：
０．０２＜｜Ｍ５Ｇ／ｆＷ｜＜２．０  ・・・（１１）
ここで、
Ｍ５Ｇ：撮像時の広角端から望遠端へのズーミングの際の、第５レンズ群の像面に対する移動量、
ｆＷ：広角端における全系の焦点距離
である。
【請求項１７】
第５レンズ群を光軸方向に移動させて、無限遠合焦状態から近接物体合焦状態へのフォーカシングを行う、請求項１に記載のズームレンズ系。
【請求項１８】
第３レンズ群が、１枚のレンズ素子で構成される、請求項１に記載のズームレンズ系。
【請求項１９】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項２０】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、レンズ交換をすることなく焦点距離を自在に変化させることができる点で人気がある。
【０００３】
交換レンズ装置に用いるズームレンズ系としては、従来より、広角端から望遠端まで高い光学性能を有するものが求められており、例えば正リードで多群構成のズームレンズ系が種々提案されている。
【０００４】
特許文献１は、正負正負正の５群構成で、第１レンズ群の焦点距離と第２レンズ群の焦点距離との関係と、第４レンズ群の焦点距離と第５レンズ群の焦点距離との関係とが規定されたズームレンズを開示している。
【０００５】
特許文献２は、正負正負正の５群構成で、変倍に際して第２レンズ群と第４レンズ群とが移動し、第２レンズ群及び第４レンズ群それぞれの倍率がほぼ同時に等倍となるズームレンズを開示している。
【０００６】
特許文献３は、正負正負正の５群構成で、第１レンズ群、第２レンズ群、第３レンズ群及び第４レンズ群の構成と、第２レンズ群の倍率と第３レンズ群の倍率との関係が規定されたズームレンズを開示している。
【０００７】
特許文献４は、正負の２群構成を有し、変倍に際して第２レンズ群が移動し、第１レンズ群を構成する材料の屈折率とアッベ数とが規定されたズームレンズを開示している。
【０００８】
特許文献５は、変倍に際して移動するレンズ群を複数有し、それらの少なくとも２つがフォーカシングレンズ群であり、広角端における射出瞳位置、ウォブリングレンズ群の焦点距離等が規定されたズームレンズを開示している。
【先行技術文献】
【特許文献】
【０００９】
【特許文献１】特開平０８−３２７９０５号公報
【特許文献２】特開平１０−０３９２１１号公報
【特許文献３】特開２００２−２２８９３１号公報
【特許文献４】特開２００９−１０９６３０号公報
【特許文献５】特開２０１１−１９７４７２号公報
【発明の概要】
【発明が解決しようとする課題】
【００１０】
本開示は、光学性能に優れるのは勿論のこと、レンズ全長が短く小型で軽量なズームレンズ系を提供する。また本開示は、該ズームレンズ系を含む交換レンズ装置及びカメラシステムを提供する。
【課題を解決するための手段】
【００１１】
本開示におけるズームレンズ系は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とを有し、
前記第１レンズ群が、パワーを有する光学素子のみで構成されており、
撮像時の広角端から望遠端へのズーミングの際に、少なくとも前記第１レンズ群が像面に対して固定されており、
以下の条件（１）：
０．７＜｜Ｍ４Ｇ／Ｍ５Ｇ｜＜１１．０  ・・・（１）
（ここで、
Ｍ４Ｇ：撮像時の広角端から望遠端へのズーミングの際の、第４レンズ群の像面に対する移動量、
Ｍ５Ｇ：撮像時の広角端から望遠端へのズーミングの際の、第５レンズ群の像面に対する移動量
である）
を満足する
ことを特徴とする。
【００１２】
本開示における交換レンズ装置は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とを有し、
前記第１レンズ群が、パワーを有する光学素子のみで構成されており、
撮像時の広角端から望遠端へのズーミングの際に、少なくとも前記第１レンズ群が像面に対して固定されており、
以下の条件（１）：
０．７＜｜Ｍ４Ｇ／Ｍ５Ｇ｜＜１１．０  ・・・（１）
（ここで、
Ｍ４Ｇ：撮像時の広角端から望遠端へのズーミングの際の、第４レンズ群の像面に対する移動量、
Ｍ５Ｇ：撮像時の広角端から望遠端へのズーミングの際の、第５レンズ群の像面に対する移動量
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【００１３】
本開示におけるカメラシステムは、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とを有し、
前記第１レンズ群が、パワーを有する光学素子のみで構成されており、
撮像時の広角端から望遠端へのズーミングの際に、少なくとも前記第１レンズ群が像面に対して固定されており、
以下の条件（１）：
０．７＜｜Ｍ４Ｇ／Ｍ５Ｇ｜＜１１．０  ・・・（１）
（ここで、
Ｍ４Ｇ：撮像時の広角端から望遠端へのズーミングの際の、第４レンズ群の像面に対する移動量、
Ｍ５Ｇ：撮像時の広角端から望遠端へのズーミングの際の、第５レンズ群の像面に対する移動量
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１４】
本開示におけるズームレンズ系は、光学性能に優れるのは勿論のこと、レンズ全長が短く小型で軽量である。
【図面の簡単な説明】
【００１５】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６に係るレンズ交換式デジタルカメラシステムの概略構成図
【発明を実施するための形態】
【００１６】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者は、当業者が本開示を充分に理解するために添付図面および以下の説明を提供するのであって、これらによって請求の範囲に記載の主題を限定することを意図するものではない。
【００１８】
（実施の形態１〜５）
図１、４、７、１０及び１３は、各々実施の形態１〜５に係るズームレンズ系のレンズ配置図である。
【００１９】
図１、４、７、１０及び１３はいずれも、無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、後述する第５レンズ群Ｇ５が無限遠合焦状態から近接物体合焦状態へのフォーカシングの際に移動する方向を示している。
【００２０】
実施の形態１〜３及び５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。実施の形態４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、負のパワーを有する第６レンズ群Ｇ６とを備える。
【００２１】
図１、４、７、１０及び１３において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。さらに各図に示すように、第２レンズ群Ｇ２と第３レンズ群Ｇ３との間には、開口絞りＡが設けられている。
【００２２】
（実施の形態１）
図１に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これら第１レンズ素子Ｌ１と第２レンズ素子Ｌ２とは接合されている。また、第２レンズ素子Ｌ２は、その像側面が非球面である。
【００２３】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。第３レンズ素子Ｌ３は、ガラス材料からなるレンズ素子の物体側に、紫外線硬化性樹脂からなる、両凹形状の透明樹脂層を接合したハイブリッドレンズ素子であり、その物体側面が非球面である。
【００２４】
なお、本開示におけるハイブリッドレンズ素子は、透明樹脂層側に非球面を有する。これにより、ガラス材料のみを用いた場合にはプレス成形が困難な大口径の非球面を形成することが可能になる。また、レンズ素子を樹脂のみで構成する場合と比較すると、温度変化に対して、屈折率変化及び形状変化の両面で安定であり、高屈折率を有するレンズ素子を得ることが可能になる。
【００２５】
第３レンズ群Ｇ３は、物体側に凸面を向けた正メニスカス形状の第６レンズ素子Ｌ６のみからなる。
【００２６】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されている。また、第７レンズ素子Ｌ７は、その両面が非球面であり、第１０レンズ素子Ｌ１０は、その両面が非球面である。
【００２７】
第５レンズ群Ｇ５は、物体側から像側へと順に、像側に凸面を向けた正メニスカス形状の第１１レンズ素子Ｌ１１と、両凹形状の第１２レンズ素子Ｌ１２とからなる。これら第１１レンズ素子Ｌ１１と第１２レンズ素子Ｌ１２とは接合されている。また、第１２レンズ素子Ｌ１２は、その像側面が非球面である。
【００２８】
第６レンズ群Ｇ６は、両凸形状の第１３レンズ素子Ｌ１３のみからなる。第１３レンズ素子Ｌ１３は、その両面が非球面である。
【００２９】
撮像時の広角端から望遠端へのズーミングの際に、第１レンズ群Ｇ１は移動せず、第２レンズ群Ｇ２は像側へ移動し、開口絞りＡは移動せず、第３レンズ群Ｇ３は移動せず、第４レンズ群Ｇ４は物体側へ移動し、第５レンズ群Ｇ５は物体側へ凸の軌跡を描いて物体側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が減少し、第５レンズ群Ｇ５と第６レンズ群Ｇ６との間隔が増大するように、第２レンズ群Ｇ２と第４レンズ群Ｇ４と第５レンズ群Ｇ５とが光軸に沿ってそれぞれ移動する。
【００３０】
無限遠合焦状態から近接物体合焦状態へのフォーカシングの際に、第５レンズ群Ｇ５が光軸に沿って像側へと移動する。
【００３１】
また、第４レンズ群Ｇ４の一部である第１０レンズ素子Ｌ１０が後述する像ぶれ補正レンズ群に相当し、該第１０レンズ素子Ｌ１０を光軸に直交する方向に移動させることによって、全系の振動による像点移動を補正する、すなわち、手ぶれ、振動等による像のぶれを光学的に補正することができる。
【００３２】
（実施の形態２）
図４に示すように、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されている。また、第２レンズ素子Ｌ２は、ガラス材料からなるレンズ素子の像側に、紫外線硬化性樹脂からなる、像側に凸面を向けた正メニスカス形状の透明樹脂層を接合したハイブリッドレンズ素子であり、その像側面が非球面である。
【００３３】
第２レンズ群Ｇ２は、物体側から像側へと順に、両凹形状の第３レンズ素子Ｌ３と、両凹形状の第４レンズ素子Ｌ４と、両凸形状の第５レンズ素子Ｌ５とからなる。第３レンズ素子Ｌ３は、ガラス材料からなるレンズ素子の物体側に、紫外線硬化性樹脂からなる、像側に凸面を向けた負メニスカス形状の透明樹脂層を接合したハイブリッドレンズ素子であり、その物体側面が非球面である。
【００３４】
第３レンズ群Ｇ３は、両凸形状の第６レンズ素子Ｌ６のみからなる。
【００３５】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０と、像側に凸面を向けた負メニスカス形状の第１１レンズ素子Ｌ１１とからなる。これらのうち、第８レンズ素子Ｌ８と第９レンズ素子Ｌ９とは接合されており、第１０レンズ素子Ｌ１０と第１１レンズ素子Ｌ１１とは接合されている。また、第７レンズ素子Ｌ７は、その両面が非球面であり、第１０レンズ素子Ｌ１０は、その物体側面が非球面である。
【００３６】
第５レンズ群Ｇ５は、物体側から像側へと順に、両凸形状の第１２レンズ素子Ｌ１２と、両凹形状の第１３レンズ素子Ｌ１３とからなる。これら第１２レンズ素子Ｌ１２と第１３レンズ素子Ｌ１３とは接合されている。また、第１３レンズ素子Ｌ１３は、その像側面が非球面である。
【００３７】
第６レンズ群Ｇ６は、物体側から像側へと順に、両凸形状の第１４レンズ素子Ｌ１４と、像側に凸面を向けた負メニスカス形状の第１５レンズ素子Ｌ１５とからなる。これら第１４レンズ素子Ｌ１４と第１５レンズ素子Ｌ１５とは接合されている。また、第１４レンズ素子Ｌ１４は、その物体側面が非球面である。
【００３８】
撮像時の広角端から望遠端へのズーミングの際に、第１レンズ群Ｇ１は移動せず、第２レンズ群Ｇ２は像側へ移動し、開口絞りＡは移動せず、第３レンズ群Ｇ３は移動せず、第４レンズ群Ｇ４は物体側へ移動し、第５レンズ群Ｇ５は物体側へ凸の軌跡を描いて物体側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が減少し、第５レンズ群Ｇ５と第６レンズ群Ｇ６との間隔が増大するように、第２レンズ群Ｇ２と第４レンズ群Ｇ４と第５レンズ群Ｇ５とが光軸に沿ってそれぞれ移動する。
【００３９】
無限遠合焦状態から近接物体合焦状態へのフォーカシングの際に、第５レンズ群Ｇ５が光軸に沿って像側へと移動する。
【００４０】
また、第４レンズ群Ｇ４の一部である第１０レンズ素子Ｌ１０及び第１１レンズ素子Ｌ１１が後述する像ぶれ補正レンズ群に相当し、これら第１０レンズ素子Ｌ１０及び第１１レンズ素子Ｌ１１を光軸に直交する方向に移動させることによって、全系の振動による像点移動を補正する、すなわち、手ぶれ、振動等による像のぶれを光学的に補正することができる。
【００４１】
（実施の形態３）
図７に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００４２】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。第４レンズ素子Ｌ４は、ガラス材料からなるレンズ素子の物体側に、紫外線硬化性樹脂からなる、物体側に凸面を向けた負メニスカス形状の透明樹脂層を接合したハイブリッドレンズ素子であり、その物体側面が非球面である。
【００４３】
第３レンズ群Ｇ３は、両凸形状の第７レンズ素子Ｌ７のみからなる。
【００４４】
第４レンズ群Ｇ４は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１と、像側に凸面を向けた負メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第９レンズ素子Ｌ９は、その物体側面が非球面であり、第１１レンズ素子Ｌ１１は、その物体側面が非球面である。
【００４５】
第５レンズ群Ｇ５は、物体側から像側へと順に、像側に凸面を向けた正メニスカス形状の第１３レンズ素子Ｌ１３と、両凹形状の第１４レンズ素子Ｌ１４とからなる。これら第１３レンズ素子Ｌ１３と第１４レンズ素子Ｌ１４とは接合されている。また、第１４レンズ素子Ｌ１４は、その像側面が非球面である。
【００４６】
第６レンズ群Ｇ６は、物体側から像側へと順に、両凸形状の第１５レンズ素子Ｌ１５と、像側に凸面を向けた負メニスカス形状の第１６レンズ素子Ｌ１６とからなる。これら第１５レンズ素子Ｌ１５と第１６レンズ素子Ｌ１６とは接合されている。また、第１５レンズ素子Ｌ１５は、その物体側面が非球面である。
【００４７】
撮像時の広角端から望遠端へのズーミングの際に、第１レンズ群Ｇ１は移動せず、第２レンズ群Ｇ２は像側へ移動し、開口絞りＡは移動せず、第３レンズ群Ｇ３は移動せず、第４レンズ群Ｇ４は物体側へ移動し、第５レンズ群Ｇ５は物体側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が減少し、第５レンズ群Ｇ５と第６レンズ群Ｇ６との間隔が増大するように、第２レンズ群Ｇ２と第４レンズ群Ｇ４と第５レンズ群Ｇ５とが光軸に沿ってそれぞれ移動する。
【００４８】
無限遠合焦状態から近接物体合焦状態へのフォーカシングの際に、第５レンズ群Ｇ５が光軸に沿って像側へと移動する。
【００４９】
また、第４レンズ群Ｇ４の一部である第１１レンズ素子Ｌ１１及び第１２レンズ素子Ｌ１２が後述する像ぶれ補正レンズ群に相当し、これら第１１レンズ素子Ｌ１１及び第１２レンズ素子Ｌ１２を光軸に直交する方向に移動させることによって、全系の振動による像点移動を補正する、すなわち、手ぶれ、振動等による像のぶれを光学的に補正することができる。
【００５０】
（実施の形態４）
図１０に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００５１】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第６レンズ素子Ｌ６と第７レンズ素子Ｌ７とは接合されている。また、第４レンズ素子Ｌ４は、ガラス材料からなるレンズ素子の物体側に、紫外線硬化性樹脂からなる、両凹形状の透明樹脂層を接合したハイブリッドレンズ素子であり、その物体側面が非球面である。
【００５２】
第３レンズ群Ｇ３は、物体側に凸面を向けた正メニスカス形状の第８レンズ素子Ｌ８のみからなる。
【００５３】
第４レンズ群Ｇ４は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２と、像側に凸面を向けた負メニスカス形状の第１３レンズ素子Ｌ１３とからなる。これらのうち、第１０レンズ素子Ｌ１０と第１１レンズ素子Ｌ１１とは接合されており、第１２レンズ素子Ｌ１２と第１３レンズ素子Ｌ１３とは接合されている。また、第１０レンズ素子Ｌ１０は、その物体側面が非球面であり、第１２レンズ素子Ｌ１２は、その物体側面が非球面である。
【００５４】
第５レンズ群Ｇ５は、物体側から像側へと順に、両凸形状の第１４レンズ素子Ｌ１４と、両凹形状の第１５レンズ素子Ｌ１５とからなる。これら第１４レンズ素子Ｌ１４と第１５レンズ素子Ｌ１５とは接合されている。また、第１５レンズ素子Ｌ１５は、その像側面が非球面である。
【００５５】
第６レンズ群Ｇ６は、物体側から像側へと順に、像側に凸面を向けた正メニスカス形状の第１６レンズ素子Ｌ１６と、像側に凸面を向けた負メニスカス形状の第１７レンズ素子Ｌ１７とからなる。これら第１６レンズ素子Ｌ１６と第１７レンズ素子Ｌ１７とは接合されている。また、第１６レンズ素子Ｌ１６は、その物体側面が非球面である。
【００５６】
撮像時の広角端から望遠端へのズーミングの際に、第１レンズ群Ｇ１は移動せず、第２レンズ群Ｇ２は像側へ移動し、開口絞りＡは移動せず、第３レンズ群Ｇ３は移動せず、第４レンズ群Ｇ４は物体側へ移動し、第５レンズ群Ｇ５は物体側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が減少し、第５レンズ群Ｇ５と第６レンズ群Ｇ６との間隔が増大するように、第２レンズ群Ｇ２と第４レンズ群Ｇ４と第５レンズ群Ｇ５とが光軸に沿ってそれぞれ移動する。
【００５７】
無限遠合焦状態から近接物体合焦状態へのフォーカシングの際に、第５レンズ群Ｇ５が光軸に沿って像側へと移動する。
【００５８】
また、第４レンズ群Ｇ４の一部である第１２レンズ素子Ｌ１２及び第１３レンズ素子Ｌ１３が後述する像ぶれ補正レンズ群に相当し、これら第１２レンズ素子Ｌ１２及び第１３レンズ素子Ｌ１３を光軸に直交する方向に移動させることによって、全系の振動による像点移動を補正する、すなわち、手ぶれ、振動等による像のぶれを光学的に補正することができる。
【００５９】
（実施の形態５）
図１３に示すように、第１レンズ群Ｇ１は、両凸形状の第１レンズ素子Ｌ１のみからなる。第１レンズ素子Ｌ１は、その像側面が非球面である。
【００６０】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４とからなる。第２レンズ素子Ｌ２は、ガラス材料からなるレンズ素子の物体側に、紫外線硬化性樹脂からなる、両凹形状の透明樹脂層を接合したハイブリッドレンズ素子であり、その物体側面が非球面である。
【００６１】
第３レンズ群Ｇ３は、物体側に凸面を向けた正メニスカス形状の第５レンズ素子Ｌ５のみからなる。
【００６２】
第４レンズ群Ｇ４は、物体側から像側へと順に、両凸形状の第６レンズ素子Ｌ６と、両凸形状の第７レンズ素子Ｌ７と、両凹形状の第８レンズ素子Ｌ８と、両凸形状の第９レンズ素子Ｌ９とからなる。これらのうち、第７レンズ素子Ｌ７と第８レンズ素子Ｌ８とは接合されている。また、第６レンズ素子Ｌ６は、その両面が非球面であり、第９レンズ素子Ｌ９は、その両面が非球面である。
【００６３】
第５レンズ群Ｇ５は、物体側から像側へと順に、像側に凸面を向けた正メニスカス形状の第１０レンズ素子Ｌ１０と、両凹形状の第１１レンズ素子Ｌ１１とからなる。これら第１０レンズ素子Ｌ１０と第１１レンズ素子Ｌ１１とは接合されている。また、第１１レンズ素子Ｌ１１は、その像側面が非球面である。
【００６４】
第６レンズ群Ｇ６は、両凸形状の第１２レンズ素子Ｌ１２のみからなる。第１２レンズ素子Ｌ１２は、その両面が非球面である。
【００６５】
撮像時の広角端から望遠端へのズーミングの際に、第１レンズ群Ｇ１は移動せず、第２レンズ群Ｇ２は像側へ移動し、開口絞りＡは移動せず、第３レンズ群Ｇ３は移動せず、第４レンズ群Ｇ４は物体側へ移動し、第５レンズ群Ｇ５は物体側へ凸の軌跡を描いて物体側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が減少し、第５レンズ群Ｇ５と第６レンズ群Ｇ６との間隔が増大するように、第２レンズ群Ｇ２と第４レンズ群Ｇ４と第５レンズ群Ｇ５とが光軸に沿ってそれぞれ移動する。
【００６６】
無限遠合焦状態から近接物体合焦状態へのフォーカシングの際に、第５レンズ群Ｇ５が光軸に沿って像側へと移動する。
【００６７】
また、第４レンズ群Ｇ４の一部である第９レンズ素子Ｌ９が後述する像ぶれ補正レンズ群に相当し、該第９レンズ素子Ｌ９を光軸に直交する方向に移動させることによって、全系の振動による像点移動を補正する、すなわち、手ぶれ、振動等による像のぶれを光学的に補正することができる。
【００６８】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００６９】
以下、例えば実施の形態１〜５に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００７０】
例えば実施の形態１〜５に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とを有し、前記第１レンズ群が、パワーを有する光学素子のみで構成されており、撮像時の広角端から望遠端へのズーミングの際に、少なくとも前記第１レンズ群が像面に対して固定されている（以下、このレンズ構成を、実施の形態の基本構成という）ズームレンズ系は、以下の条件（１）を満足する。
０．７＜｜Ｍ４Ｇ／Ｍ５Ｇ｜＜１１．０  ・・・（１）
ここで、
Ｍ４Ｇ：撮像時の広角端から望遠端へのズーミングの際の、第４レンズ群の像面に対する移動量、
Ｍ５Ｇ：撮像時の広角端から望遠端へのズーミングの際の、第５レンズ群の像面に対する移動量
である。
【００７１】
前記条件（１）は、ズーミングの際の、第４レンズ群の移動量と第５レンズ群の移動量との関係を規定する条件である。条件（１）の下限を下回ると、第４レンズ群の変倍寄与が小さくなりすぎ、望遠端における球面収差の補正が困難になる。逆に条件（１）の上限を上回ると、第５レンズ群の変倍寄与が小さくなりすぎ、広角端における非点収差の補正が困難になる。
【００７２】
なお、さらに以下の条件（１）’及び（１）’’の少なくとも１つを満足することにより、前記効果をさらに奏功させることができる。
１．１＜｜Ｍ４Ｇ／Ｍ５Ｇ｜  ・・・（１）’
｜Ｍ４Ｇ／Ｍ５Ｇ｜＜４．０  ・・・（１）’’
【００７３】
例えば実施の形態１〜５に係るズームレンズ系のように、基本構成を有するズームレンズ系は、以下の条件（２）を満足することが有益である。
０．５＜ｆＷ／Ｔ１Ｇ＜３．０  ・・・（２）
ここで、
ｆＷ：広角端における全系の焦点距離、
Ｔ１Ｇ：第１レンズ群の光軸上での厚み
である。
【００７４】
前記条件（２）は、広角端における全系の焦点距離と、第１レンズ群の光軸上での厚みとの関係を規定する条件である。条件（２）の下限を下回ると、第１レンズ群の光軸上での厚みが大きくなりすぎ、広角端における非点収差の補正が困難になる。逆に条件（２）の上限を上回ると、第１レンズ群の光軸上での厚みが小さくなりすぎ、望遠端における倍率色収差の補正が困難になる。
【００７５】
なお、さらに以下の条件（２）’及び（２）’’の少なくとも１つを満足することにより、前記効果をさらに奏功させることができる。
０．８＜ｆＷ／Ｔ１Ｇ  ・・・（２）’
ｆＷ／Ｔ１Ｇ＜２．０  ・・・（２）’’
【００７６】
例えば実施の形態１〜５に係るズームレンズ系のように、基本構成を有するズームレンズ系は、以下の条件（３）を満足することが有益である。
０．４＜ＹＴ／Ｔ１Ｇ＜３．０  ・・・（３）
ここで、
ＹＴ：望遠端における像高、
Ｔ１Ｇ：第１レンズ群の光軸上での厚み
である。
【００７７】
前記条件（３）は、望遠端における像高と、第１レンズ群の光軸上での厚みとの関係を規定する条件である。条件（３）の下限を下回ると、第１レンズ群の光軸上での厚みが大きくなりすぎ、広角端における非点収差の補正が困難になる。逆に条件（３）の上限を上回ると、第１レンズ群の光軸上での厚みが小さくなりすぎ、望遠端における倍率色収差の補正が困難になる。
【００７８】
なお、さらに以下の条件（３）’及び（３）’’の少なくとも１つを満足することにより、前記効果をさらに奏功させることができる。
０．７＜ＹＴ／Ｔ１Ｇ  ・・・（３）’
ＹＴ／Ｔ１Ｇ＜１．８  ・・・（３）’’
【００７９】
例えば実施の形態１〜５に係るズームレンズ系のように、基本構成を有するズームレンズ系は、以下の条件（４）を満足することが有益である。
０．３＜ｆＷ／ＴｉｍｇＧ＜７．０  ・・・（４）
ここで、
ｆＷ：広角端における全系の焦点距離、
ＴｉｍｇＧ：全系の最像側に位置するレンズ群の光軸上での厚み
である。
【００８０】
前記条件（４）は、広角端における全系の焦点距離と、全系の最像側に位置するレンズ群の光軸上での厚みとの関係を規定する条件である。条件（４）の下限を下回ると、広角端における全系の焦点距離に対して最像側に位置するレンズ群の光軸上での厚みが大きくなりすぎ、広角端における非点収差の補正が困難になる。さらに、コンパクトなレンズ鏡筒や交換レンズ装置及びカメラシステムを提供することが困難になる。逆に条件（４）の上限を上回ると、最像側に位置するレンズ群の光軸上での厚みが小さくなりすぎ、望遠端における非点収差の補正が困難になる。
【００８１】
なお、さらに以下の条件（４）’及び（４）’’の少なくとも１つを満足することにより、前記効果をさらに奏功させることができる。
１．０＜ｆＷ／ＴｉｍｇＧ  ・・・（４）’
ｆＷ／ＴｉｍｇＧ＜５．０  ・・・（４）’’
【００８２】
例えば実施の形態１〜５に係るズームレンズ系のように、基本構成を有するズームレンズ系は、以下の条件（５）を満足することが有益である。
０．２＜ＹＴ／ＴｉｍｇＧ＜６．０  ・・・（５）
ここで、
ＹＴ：望遠端における像高、
ＴｉｍｇＧ：全系の最像側に位置するレンズ群の光軸上での厚み
である。
【００８３】
前記条件（５）は、望遠端における像高と、全系の最像側に位置するレンズ群の光軸上での厚みとの関係を規定する条件である。条件（５）の下限を下回ると、最像側に位置するレンズ群の光軸上での厚みが大きくなりすぎ、広角端における非点収差の補正が困難になる。さらに、コンパクトなレンズ鏡筒や交換レンズ装置及びカメラシステムを提供することが困難になる。逆に条件（５）の上限を上回ると、最像側に位置するレンズ群の光軸上での厚みが小さくなりすぎ、望遠端における非点収差の補正が困難になる。
【００８４】
なお、さらに以下の条件（５）’及び（５）’’の少なくとも１つを満足することにより、前記効果をさらに奏功させることができる。
１．２＜ＹＴ／ＴｉｍｇＧ  ・・・（５）’
ＹＴ／ＴｉｍｇＧ＜３．０  ・・・（５）’’
【００８５】
例えば実施の形態１〜５に係るズームレンズ系のように、基本構成を有するズームレンズ系は、以下の条件（６）を満足することが有益である。
４．０＜ｆＷ／Ｔａｉｒ１Ｇ２ＧＷ＜３５０．０  ・・・（６）
ここで、
ｆＷ：広角端における全系の焦点距離、
Ｔａｉｒ１Ｇ２ＧＷ：広角端における第１レンズ群と第２レンズ群との空気間隔
である。
【００８６】
前記条件（６）は、広角端における全系の焦点距離と、広角端における第１レンズ群と第２レンズ群との空気間隔との関係を規定する条件である。条件（６）の下限を下回ると、広角端における第１レンズ群と第２レンズ群との空気間隔が長くなりすぎ、広角端における像面湾曲の補正が困難になる。逆に条件（６）の上限を上回ると、広角端における全系の焦点距離が長くなりすぎ、広角端における撮影範囲が不充分なものとなってしまう。さらに、コンパクトなレンズ鏡筒や交換レンズ装置及びカメラシステムを提供することが困難になる。
【００８７】
なお、さらに以下の条件（６）’及び（６）’’の少なくとも１つを満足することにより、前記効果をさらに奏功させることができる。
１５．０＜ｆＷ／Ｔａｉｒ１Ｇ２ＧＷ  ・・・（６）’
ｆＷ／Ｔａｉｒ１Ｇ２ＧＷ＜２０．０  ・・・（６）’’
【００８８】
例えば実施の形態１〜５に係るズームレンズ系のように、基本構成を有するズームレンズ系は、以下の条件（７）を満足することが有益である。
ｎｄ１Ｇ＜１．８２  ・・・（７）
ここで、
ｎｄ１Ｇ：第１レンズ群を構成する光学素子のうち、光軸上での厚みが最も大きい光学素子のｄ線に対する屈折率
である。
【００８９】
前記条件（７）は、第１レンズ群を構成する光学素子のうち、光軸上での厚みが最も大きい光学素子のｄ線に対する屈折率を規定する条件である。条件（７）の上限を上回ると、望遠端における倍率色収差の補正が困難になる。
【００９０】
なお、さらに以下の条件（７）’を満足することにより、前記効果をさらに奏功させることができる。
ｎｄ１Ｇ＜１．６５  ・・・（７）’
【００９１】
例えば実施の形態１〜５に係るズームレンズ系のように、基本構成を有するズームレンズ系は、以下の条件（８）を満足することが有益である。
４８＜ｖｄ１Ｇ  ・・・（８）
ここで、
ｖｄ１Ｇ：第１レンズ群を構成する光学素子のうち、光軸上での厚みが最も大きい光学素子のｄ線に対するアッベ数
である。
【００９２】
前記条件（８）は、第１レンズ群を構成する光学素子のうち、光軸上での厚みが最も大きい光学素子のｄ線に対するアッベ数を規定する条件である。条件（８）の下限を下回ると、望遠端における倍率色収差の補正が困難になる。
【００９３】
なお、さらに以下の条件（８）’を満足することにより、前記効果をさらに奏功させることができる。
６０＜ｖｄ１Ｇ  ・・・（８）’
【００９４】
例えば実施の形態１〜５に係るズームレンズ系のように、基本構成を有するズームレンズ系は、以下の条件（９）を満足することが有益である。
ＬＴ／ｆＴ＜１．４５  ・・・（９）
ここで、
ＬＴ：望遠端におけるレンズ全長（望遠端における、第１レンズ群の最物体側面から像面までの距離）、
ｆＴ：望遠端における全系の焦点距離
である。
【００９５】
前記条件（９）は、望遠端におけるレンズ全長と、望遠端における全系の焦点距離との関係を規定する条件である。条件（９）の上限を上回ると、望遠端におけるレンズ全長が長くなりすぎ、ズーミングに伴う非点収差の変動の補正が困難になる。
【００９６】
なお、さらに以下の条件（９）’を満足することにより、前記効果をさらに奏功させることができる。
ＬＴ／ｆＴ＜１．２５  ・・・（９）’
【００９７】
例えば実施の形態１〜５に係るズームレンズ系のように、基本構成を有するズームレンズ系は、以下の条件（１０）を満足することが有益である。
２．６＜（ｆＴ／ｆＷ）×（ｔａｎ（θＷ））２  ・・・（１０）
ここで、
ｆＴ：望遠端における全系の焦点距離、
ｆＷ：広角端における全系の焦点距離、
θＷ：広角端における半画角（°）
である。
【００９８】
前記条件（１０）は、望遠端における全系の焦点距離と、広角端における全系の焦点距離と、広角端における半画角との関係を規定する条件である。条件（１０）の下限を下回ると、広角端における半画角が小さくなりすぎ、広角端における撮影範囲が不充分なものとなってしまう。さらに、望遠端における倍率色収差の補正が困難になる。
【００９９】
なお、さらに以下の条件（１０）’を満足することにより、前記効果をさらに奏功させることができる。
５．２＜（ｆＴ／ｆＷ）×（ｔａｎ（θＷ））２  ・・・（１０）’
【０１００】
例えば実施の形態１〜５に係るズームレンズ系のように、基本構成を有するズームレンズ系は、以下の条件（１１）を満足することが有益である。
０．０２＜｜Ｍ５Ｇ／ｆＷ｜＜２．０  ・・・（１１）
ここで、
Ｍ５Ｇ：撮像時の広角端から望遠端へのズーミングの際の、第５レンズ群の像面に対する移動量、
ｆＷ：広角端における全系の焦点距離
である。
【０１０１】
前記条件（１１）は、ズーミングの際の第５レンズ群の移動量と、広角端における全系の焦点距離との関係を規定する条件である。条件（１１）の下限を下回ると、第５レンズ群の変倍寄与が小さくなりすぎ、広角端における非点収差の補正が困難になる。逆に条件（１１）の上限を上回ると、第５レンズ群の変倍寄与が大きくなりすぎ、望遠端における球面収差の補正が困難になる。
【０１０２】
なお、さらに以下の条件（１１）’及び（１１）’’の少なくとも１つを満足することにより、前記効果をさらに奏功させることができる。
０．５＜｜Ｍ５Ｇ／ｆＷ｜  ・・・（１１）’
｜Ｍ５Ｇ／ｆＷ｜＜０．９  ・・・（１１）’’
【０１０３】
実施の形態１〜５に係るズームレンズ系のように、像のぶれを光学的に補正するために光軸に対して垂直方向に移動する像ぶれ補正レンズ群を備えていることが有益である。該像ぶれ補正レンズ群により、全系の振動による像点移動を補正することができる。
【０１０４】
全系の振動による像点移動を補正する際に、このように像ぶれ補正レンズ群が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【０１０５】
像ぶれ補正レンズ群は、撮像時の広角端から望遠端へのズーミングの際に、像面に対して移動することが有益である。像ぶれ補正レンズ群がズーミングの際に移動しない場合、像ぶれ補正レンズ群の、光軸に対して垂直な方向への移動量が大きくなり、像ぶれ補正状態における片ボケの補正が困難になる。さらに、像ぶれ補正レンズ群の駆動機構の構成が肥大化し、コンパクトなレンズ鏡筒や交換レンズ装置及びカメラシステムを提供することが困難になる。
【０１０６】
また、像ぶれ補正レンズ群は、レンズ系を構成するいずれか１つのレンズ群の一部であることが有益である。像ぶれ補正レンズ群がレンズ系を構成するいずれか１つのレンズ群全体である場合、像ぶれ補正レンズ群の駆動機構の構成が肥大化し、コンパクトなレンズ鏡筒や交換レンズ装置及びカメラシステムを提供することが困難になる。なお、前記レンズ群の一部とは、１枚のレンズ素子であってもよく、隣り合った複数のレンズ素子であってもよい。
【０１０７】
実施の形態１〜５に係るズームレンズ系のように、撮像時の広角端から望遠端へのズーミングの際に、開口絞りが像面に対して固定されていることが有益である。開口絞りがズーミングの際に移動する場合、広角端における周辺光量の確保が困難になる。さらに、コンパクトなレンズ鏡筒や交換レンズ装置及びカメラシステムを提供することが困難になる。
【０１０８】
実施の形態１〜５に係るズームレンズ系のように、撮像時の広角端から望遠端へのズーミングの際に、全系の最像側に位置するレンズ群が像面に対して固定されていることが有益である。最像側に位置するレンズ群がズーミングの際に移動する場合、望遠端における非点収差の補正が困難になる。
【０１０９】
実施の形態１〜５に係るズームレンズ系のように、撮像時の広角端から望遠端へのズーミングの際に、像面に対して固定されているレンズ群の数と、像面に対して移動するレンズ群の数とが等しいことが有益である。固定されているレンズ群の数と移動するレンズ群の数とが異なる場合、ズーミングに伴う球面収差の変動の補正が困難になる。さらに、鏡筒設計に無理が生じ、コンパクトなレンズ鏡筒や交換レンズ装置及びカメラシステムを提供することが困難になる。
【０１１０】
実施の形態１〜５に係るズームレンズ系のように、第５レンズ群を光軸方向に移動させて、無限遠合焦状態から近接物体合焦状態へのフォーカシングを行うことが有益である。第５レンズ群以外のレンズ群にてフォーカシングを行う場合、近接物体合焦状態での非点収差の補正が困難になる。
【０１１１】
実施の形態１〜５に係るズームレンズ系のように、第３レンズ群が１枚のレンズ素子で構成されることが有益である。第３レンズ群が複数のレンズ素子で構成されている場合、望遠端における球面収差の補正が困難になる。
【０１１２】
実施の形態１〜５に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１１３】
（実施の形態６）
図１６は、実施の形態６に係るレンズ交換式デジタルカメラシステムの概略構成図である。
【０１１４】
本実施の形態６に係るレンズ交換式デジタルカメラシステム１００は、カメラ本体１０１と、カメラ本体１０１に着脱自在に接続される交換レンズ装置２０１とを備える。
【０１１５】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜５いずれかに係るズームレンズ系２０２と、ズームレンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１６においては、ズームレンズ系２０２として実施の形態１に係るズームレンズ系を用いた場合を図示している。
【０１１６】
本実施の形態６では、実施の形態１〜５いずれかに係るズームレンズ系２０２を用いているので、コンパクトで結像性能に優れた交換レンズ装置を低コストで実現することができる。また、本実施の形態６に係るカメラシステム１００全体の小型化及び低コスト化も達成することができる。なお、これら実施の形態１〜５に係るズームレンズ系は、全てのズーミング域を使用する必要はない。すなわち、所望のズーミング域に応じて、光学性能が確保されている範囲を切り出し、以下の対応する数値実施例１〜５で説明するズームレンズ系よりも低倍率のズームレンズ系として使用してもよい。
【０１１７】
以上のように、本出願において開示する技術の例示として、実施の形態６を説明した。しかしながら、本開示における技術は、これに限定されず、適宜、変更、置き換え、付加、省略などを行った実施の形態にも適用可能である。
【０１１８】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2013218290.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１９】
図２、５、８、１１及び１４は、各々数値実施例１〜５に係るズームレンズ系の無限遠合焦状態の縦収差図である。
【０１２０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２１】
また図３、６、９、１２及び１５は、各々数値実施例１〜５に係るズームレンズ系の望遠端における横収差図である。
【０１２２】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第４レンズ群Ｇ４の光軸とを含む平面としている。
【０１２３】
なお、各数値実施例のズームレンズ系について、望遠端における、像ぶれ補正状態での像ぶれ補正レンズ群の光軸と垂直な方向への移動量は、以下に示すとおりである。
数値実施例１  ０．２８０ｍｍ
数値実施例２  ０．３７５ｍｍ
数値実施例３  ０．３３９ｍｍ
数値実施例４  ０．２９４ｍｍ
数値実施例５  ０．１８３ｍｍ
【０１２４】
撮影距離が∞で望遠端において、ズームレンズ系が０．５°だけ傾いた場合の像偏心量は、像ぶれ補正レンズ群が光軸と垂直な方向に上記の各値だけ平行移動するときの像偏心量に等しい。
【０１２５】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、少なくとも０．５°までの像ぶれ補正角に対して、結像特性を低下させることなく充分な像ぶれ補正を行うことが可能である。
【０１２６】
（数値実施例１）
数値実施例１のズームレンズ系は、図１に示した実施の形態１に対応する。数値実施例１のズームレンズ系の面データを表１に、非球面データを表２に、各種データを表３に示す。
【０１２７】
表  １（面データ）
面番号         r           d           nd         vd     
物面             ∞                                    
1         37.98450     1.50000     1.94595    18.0    
2         29.34750     7.51760     1.77200    50.0    
3*       432.80370        可変                        
4*      -201.29530     0.10000     1.51358    51.6    
5       2129.91050     1.00000     1.91082    35.2    
6         11.92140     5.50030                        
7        -40.82760     0.60000     1.88300    40.8    
8         44.14840     0.20000                        
9         28.06360     2.57340     1.95906    17.5    
10       -422.15000        可変                        
11(絞り)           ∞     1.00000                        
12         91.14680     0.88440     1.92286    20.9    
13        563.09830        可変                        
14*        11.60680     5.29450     1.51845    70.0    
15*       -30.97720     0.20000                        
16         33.27480     2.25000     1.51680    64.2    
17        -65.21200     0.55000     2.00100    29.1    
18         13.51660     1.30000                        
19*        16.51440     3.72120     1.58913    61.3    
20*       -25.64090        可変                        
21      -1172.65290     2.56490     1.92286    20.9    
22        -16.37850     0.80000     1.88202    37.2    
23*        17.37150        可変                        
24*        96.77980     2.61040     1.51845    70.0    
25*       -49.77210        (BF)                        
像面             ∞                                    
【０１２８】
表  ２（非球面データ）
第3面
K= 0.00000E+00, A4= 1.19054E-06, A6=-2.57541E-10, A8=-4.29119E-13 
A10= 7.51529E-16 
第4面
K= 0.00000E+00, A4= 2.64437E-05, A6=-9.93943E-08, A8= 4.24958E-10 
A10=-1.05309E-12 
第14面
K= 0.00000E+00, A4=-5.97262E-05, A6=-8.51313E-08, A8=-2.68017E-09 
A10= 8.10554E-12 
第15面
K= 0.00000E+00, A4= 9.63105E-06, A6= 8.41305E-07, A8=-9.97338E-09 
A10= 5.51882E-11 
第19面
K= 0.00000E+00, A4=-1.05096E-04, A6= 5.66408E-09, A8= 2.63329E-08 
A10=-3.91149E-13 
第20面
K= 0.00000E+00, A4=-3.34994E-05, A6=-1.10627E-07, A8= 2.33207E-08 
A10= 1.24605E-10 
第23面
K= 0.00000E+00, A4= 3.28246E-05, A6= 2.04303E-07, A8=-1.89756E-08 
A10= 2.73388E-10 
第24面
K= 0.00000E+00, A4=-9.43777E-06, A6=-1.24057E-07, A8= 8.68159E-09 
A10=-6.86225E-11 
第25面
K= 0.00000E+00, A4=-2.64187E-05, A6=-4.06586E-07, A8= 1.17456E-08 
A10=-8.00712E-11
【０１２９】
表  ３（各種データ）
ズーム比     7.76939
広角      中間      望遠
焦点距離      12.4205   34.6206   96.4995
Ｆナンバー     4.15010   5.09854   5.80121
画角        42.2965   17.3197    6.2524
像高        10.0000   10.8150   10.8150
ＢＦ        18.0000   18.0000   18.0000
d3           0.7000   14.3566   25.6118
d10         25.9181   12.2616    1.0000
d13         15.2606    5.6812    0.7000
d20          1.6000    4.2861    9.3760
d23          4.3543   11.2475   11.1452
入射瞳位置     21.1584   54.6785  103.2825
射出瞳位置    -64.0054  -60.4942  -56.2361
前側主点位置   31.1674   69.5035   34.0081
後側主点位置   93.5449   71.4329    9.4379
ズームレンズ群データ
群   始面    焦点距離  レンズ構成長    前側主点位置  後側主点位置
1      1    57.19177     9.01760        -0.77470       3.28785
2      4   -11.84029     9.97370         0.69682       2.70510
3     11   117.73404     1.88440         0.91125       1.33613
4     14    19.12181    13.31570         2.95733       5.65879
5     21   -20.37424     3.36490         1.75041       3.35831
6     24    63.78545     2.61040         1.14222       2.02298
【０１３０】
（数値実施例２）
数値実施例２のズームレンズ系は、図４に示した実施の形態２に対応する。数値実施例２のズームレンズ系の面データを表４に、非球面データを表５に、各種データを表６に示す。
【０１３１】
表  ４（面データ）
面番号         r           d           nd         vd     
物面             ∞                                    
1         39.91790     1.50000     1.84666    23.8    
2         30.90600     7.66790     1.59282    68.6    
3       -488.48540     0.10000     1.51358    51.6    
4*      -486.00560        可変                        
5*      -151.62810     0.10000     1.51358    51.6    
6       -677.72420     1.00000     1.91082    35.2    
7         13.86270     6.44730                        
8        -32.82990     0.60000     1.88300    40.8    
9         91.06540     0.20000                        
10         40.26770     2.97900     1.95906    17.5    
11        -93.58000        可変                        
12(絞り)           ∞     1.00000                        
13         63.40180     1.11480     1.48749    70.4    
14       -936.81530        可変                        
15*        12.77980     3.67010     1.51845    70.0    
16*       -98.55080     0.20000                        
17         15.67900     3.06940     1.61310    44.4    
18        -74.00310     0.55000     1.91082    35.2    
19         10.97560     1.43860                        
20*        19.42110     3.99960     1.58913    61.3    
21        -14.22940     0.50000     1.84666    23.8    
22        -22.48220        可変                        
23        105.02670     2.53200     1.92286    20.9    
24        -15.60570     0.80000     1.88202    37.2    
25*        12.69040        可変                        
26*        51.87660     4.78460     1.51845    70.0    
27        -23.89110     0.70000     2.00069    25.5    
28        -40.53650        (BF)                        
像面             ∞                                    
【０１３２】
表  ５（非球面データ）
第4面
K= 0.00000E+00, A4= 1.30616E-06, A6=-1.14924E-10, A8=-8.86775E-13 
A10= 1.24163E-15, A12=-6.54677E-19, A14= 1.61156E-21 
第5面
K= 0.00000E+00, A4= 2.51187E-05, A6=-1.25139E-07, A8= 5.64373E-10 
A10=-1.37447E-12, A12= 8.94268E-16, A14= 0.00000E+00 
第15面
K= 0.00000E+00, A4=-3.36509E-05, A6=-9.57334E-08, A8=-9.08472E-10 
A10=-8.52124E-12, A12= 0.00000E+00, A14= 0.00000E+00 
第16面
K= 0.00000E+00, A4= 7.79990E-07, A6= 2.56834E-09, A8= 6.20367E-11 
A10=-7.08705E-12, A12= 0.00000E+00, A14= 0.00000E+00 
第20面
K= 0.00000E+00, A4=-3.85145E-05, A6=-1.35207E-07, A8= 3.75862E-09 
A10=-2.89813E-11, A12=-6.73117E-19, A14= 0.00000E+00 
第25面
K= 0.00000E+00, A4= 1.28948E-05, A6=-1.65633E-07, A8=-5.74343E-09 
A10= 6.49197E-11, A12= 0.00000E+00, A14= 0.00000E+00 
第26面
K= 0.00000E+00, A4= 2.36870E-05, A6= 8.94156E-08, A8=-4.73295E-10 
A10= 1.33864E-12, A12= 0.00000E+00, A14= 0.00000E+00
【０１３３】
表  ６（各種データ）
ズーム比     9.32125
広角      中間      望遠
焦点距離      12.4210   37.9215  115.7797
Ｆナンバー     4.15035   5.26013   5.80106
画角        41.8150   15.9456    5.2258
像高        10.0000   10.8150   10.8150
ＢＦ        14.6000   14.6000   14.6000
d4           0.7000   17.4255   35.0191
d11         35.3191   18.5935    1.0000
d14         16.6505    2.5160    0.7000
d22          1.9662    3.3590    7.5259
d25          4.3904   17.1322   14.7812
入射瞳位置     23.2799   61.7160  141.9922
射出瞳位置    -52.5185  -64.7409  -58.6876
前側主点位置   32.7644   77.4269   29.2187
後側主点位置  106.1787   80.6625    2.7635
ズームレンズ群データ
群   始面    焦点距離  レンズ構成長    前側主点位置  後側主点位置
1      1    70.13468     9.26790         0.02077       3.56211
2      5   -14.19410    11.32630         0.30113       2.17640
3     12   121.85817     2.11480         1.04752       1.41260
4     15    19.98649    13.42770         2.09841       5.18696
5     23   -17.54708     3.33200         2.06209       3.61986
6     26    69.27198     5.48460         1.61886       3.53478
【０１３４】
（数値実施例３）
数値実施例３のズームレンズ系は、図７に示した実施の形態３に対応する。数値実施例３のズームレンズ系の面データを表７に、非球面データを表８に、各種データを表９に示す。
【０１３５】
表  ７（面データ）
面番号         r           d           nd         vd     
物面             ∞                                    
1        104.03640     1.50000     1.84666    23.8    
2         56.09980    14.98790     1.49700    81.6    
3      13731.53470     0.20000                        
4         50.77720     7.41760     1.80420    46.5    
5        131.19900        可変                        
6*       148.22700     0.10000     1.51358    51.6    
7         83.35340     1.00000     1.91082    35.2    
8         12.99500     8.44260                        
9        -26.53430     0.60000     1.88300    40.8    
10         82.18150     0.20000                        
11         44.85960     3.05250     1.95906    17.5    
12        -92.30710        可変                        
13(絞り)           ∞     1.88990                        
14        228.59420     0.81820     1.92286    20.9    
15      -3457.81620        可変                        
16         14.89910     6.14150     1.51823    59.0    
17        -40.32900     0.20000                        
18*        42.60060     1.70780     1.58313    59.5    
19        -42.64100     0.55000     1.91082    35.2    
20         31.14490     1.30000                        
21*        20.24890     4.42870     1.58913    61.3    
22        -12.38420     0.50000     1.84666    23.8    
23        -18.00100        可変                        
24        -52.02550     2.23920     1.92286    20.9    
25        -11.72710     0.80000     1.88202    37.2    
26*         9.01370        可変                        
27*        19.73000    19.18810     1.58332    59.1    
28        -10.74200     0.70000     2.00100    29.1    
29        -22.04960        (BF)                        
像面             ∞                                    
【０１３６】
表  ８（非球面データ）
第6面
K= 0.00000E+00, A4= 1.53879E-05, A6=-4.94253E-08, A8= 6.31789E-11 
A10=-3.17786E-14 
第18面
K= 0.00000E+00, A4=-5.85706E-05, A6=-5.15210E-07, A8= 1.15313E-10 
A10= 2.15030E-12 
第21面
K= 0.00000E+00, A4=-7.03965E-05, A6=-1.21965E-08, A8= 2.44293E-09 
A10=-3.68148E-11 
第26面
K= 0.00000E+00, A4=-9.95332E-05, A6=-1.55656E-06, A8=-1.76744E-08 
A10=-1.24241E-11 
第27面
K= 0.00000E+00, A4= 5.80979E-05, A6=-1.31866E-07, A8= 4.93873E-10 
A10= 4.16431E-13
【０１３７】
表  ９（各種データ）
ズーム比     9.32109
広角      中間      望遠
焦点距離      12.4192   37.9175  115.7607
Ｆナンバー     4.15023   5.00038   5.80090
画角        40.6954   15.7591    5.2283
像高        10.0000   10.8150   10.8150
ＢＦ        14.7000   14.7000   14.7000
d5           0.7000   28.5768   45.5318
d12         45.8266   17.9487    1.0000
d15          5.9204    3.3289    0.7000
d23          1.6000    3.6925    6.3152
d26          5.0000    5.5001    5.5000
入射瞳位置     34.8347  113.3561  226.0277
射出瞳位置    -62.7640  -61.5023  -58.7707
前側主点位置   44.7936  127.8971  113.6373
後側主点位置  139.2165  113.7946   35.9150
ズームレンズ群データ
群   始面    焦点距離  レンズ構成長    前側主点位置  後側主点位置
1      1    84.75291    24.10550         6.87806      15.82283
2      6   -12.98650    13.39510         1.52523       3.98842
3     13   232.36669     2.70810         1.91629       2.30893
4     16    15.30052    14.82800         5.65785       8.49037
5     24    -8.72225     3.03920         1.31988       2.80644
6     27    29.69800    19.88810         3.03855       9.19947
【０１３８】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１３９】
表  １０（面データ）
面番号         r           d           nd         vd     
物面             ∞                                    
1         88.43380     1.50000     1.84666    23.8    
2         43.41120     7.76600     1.49700    81.6    
3       -257.89620     0.20000                        
4         35.73770     4.08660     1.79646    46.8    
5        105.99260        可変                        
6*     -1972.34680     0.10000     1.51358    51.6    
7        295.67910     1.00000     1.91082    35.2    
8         11.80540     6.64990                        
9        -21.45250     0.60000     1.91082    35.2    
10        190.33790     0.20000                        
11         50.80390     5.43840     1.94595    18.0    
12        -43.54560     0.55000     1.91082    35.2    
13        -46.08920        可変                        
14(絞り)           ∞     1.82090                        
15         25.49830     0.78400     1.92286    20.9    
16         27.90690        可変                        
17         11.18980     3.58330     1.51329    56.7    
18       -592.22950     0.20000                        
19*        15.26210     2.37830     1.58313    59.5    
20       -130.08030     0.55000     1.91082    35.2    
21         11.13850     1.30000                        
22*        16.98910     4.43340     1.58913    61.3    
23        -11.48470     0.50000     1.83509    26.1    
24        -17.36470        可変                        
25         45.75160     1.70800     1.92286    20.9    
26        -29.33970     0.80000     1.88202    37.2    
27*        12.11920        可変                        
28*       -88.08340     5.99900     1.58597    39.1    
29        -10.04920     0.70000     1.99980    26.5    
30        -21.54930        (BF)                        
像面             ∞                                    
【０１４０】
表  １１（非球面データ）
第6面
K= 0.00000E+00, A4= 2.74947E-05, A6=-2.09788E-07, A8= 8.93059E-10 
A10=-1.61660E-12 
第19面
K= 0.00000E+00, A4=-6.64026E-05, A6=-6.57813E-07, A8=-6.05933E-09 
A10= 2.74129E-11 
第22面
K= 0.00000E+00, A4=-7.26780E-05, A6=-2.21182E-07, A8= 1.30443E-08 
A10=-2.55039E-10 
第27面
K= 0.00000E+00, A4= 2.82379E-05, A6=-1.51899E-07, A8=-5.45314E-09 
A10=-1.86821E-11 
第28面
K= 0.00000E+00, A4= 7.70472E-05, A6= 7.88083E-07, A8=-7.69568E-09 
A10= 7.00192E-11
【０１４１】
表  １２（各種データ）
ズーム比     7.76835
広角      中間      望遠
焦点距離      12.4210   34.6215   96.4904
Ｆナンバー     4.15057   5.00052   5.80109
画角        42.0524   17.0842    6.2646
像高        10.0000   10.8150   10.8150
ＢＦ        14.7000   14.7000   14.7000
d5           0.7000   14.2280   28.1038
d13         28.4054   14.8773    1.0000
d16         10.1930    1.5507    0.7000
d24          1.9403    2.6264    3.5228
d27          4.3496   12.3059   12.2617
入射瞳位置     24.2454   58.1144  138.7147
射出瞳位置    -42.9103  -43.3444  -42.9728
前側主点位置   33.0749   65.1445   18.4325
後側主点位置  100.7621   78.6130   16.6230
ズームレンズ群データ
群   始面    焦点距離  レンズ構成長    前側主点位置  後側主点位置
1      1    54.23618    13.55260         4.47589       9.51513
2      6   -12.81373    14.53830         0.01862       2.47318
3     14   276.87354     2.60490        -1.91224      -1.48087
4     17    17.14588    12.94500         3.41357       5.87585
5     25   -20.29606     2.50800         1.91409       3.05746
6     28 -1953.62815     6.69900       -75.21194     -75.87918
【０１４２】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１４３】
表  １３（面データ）
面番号         r           d           nd         vd     
物面             ∞                                    
1         48.87620     9.63280     1.57773    62.7    
2*      -661.45610        可変                        
3*      -156.94960     0.10000     1.51358    51.6    
4        794.29560     1.00000     1.91082    35.2    
5         13.86790     6.14990                        
6        -25.23620     0.60000     1.88300    40.8    
7        209.40780     0.20000                        
8         65.44040     2.28270     1.95906    17.5    
9        -55.42720        可変                        
10(絞り)           ∞     1.00000                        
11         54.97370     1.00960     1.92647    27.3    
12        140.21440        可変                        
13*        11.50950     5.16460     1.51845    70.0    
14*       -29.66380     0.20000                        
15         53.55780     2.57060     1.51680    64.2    
16        -35.50580     0.55000     2.00100    29.1    
17         14.41840     1.30000                        
18*        17.21190     5.70470     1.58913    61.3    
19*       -20.90470        可変                        
20       -479.41410     4.66080     1.92286    20.9    
21        -10.47850     0.80000     1.88202    37.2    
22*        14.85420        可変                        
23*        33.49970     4.00230     1.51845    70.0    
24*      -168.17080        (BF)                        
像面             ∞                                    
【０１４４】
表  １４（非球面データ）
第2面
K= 0.00000E+00, A4= 1.35387E-06, A6=-2.77397E-09, A8= 1.24762E-11 
A10=-2.11268E-14 
第3面
K= 0.00000E+00, A4= 3.09025E-05, A6=-2.03946E-07, A8= 1.22351E-09 
A10=-3.34324E-12 
第13面
K= 0.00000E+00, A4=-6.11018E-05, A6=-4.84088E-08, A8=-2.73108E-09 
A10=-1.00566E-11 
第14面
K= 0.00000E+00, A4= 5.08440E-06, A6= 7.69362E-07, A8=-9.13172E-09 
A10= 4.18510E-11 
第18面
K= 0.00000E+00, A4=-9.66849E-05, A6=-3.46095E-08, A8= 1.73619E-08 
A10=-1.01549E-10 
第19面
K= 0.00000E+00, A4= 1.60513E-06, A6=-3.99441E-07, A8= 1.86779E-08 
A10=-6.91678E-11 
第22面
K= 0.00000E+00, A4= 2.84621E-05, A6= 5.43768E-07, A8=-1.53477E-08 
A10= 1.63961E-10 
第23面
K= 0.00000E+00, A4= 9.62399E-06, A6=-5.77267E-07, A8= 9.07172E-09 
A10=-6.96748E-11 
第24面
K= 0.00000E+00, A4=-2.43880E-05, A6=-8.03498E-07, A8= 1.04752E-08 
A10=-6.92387E-11
【０１４５】
表  １５（各種データ）
ズーム比     5.99932
広角      中間      望遠
焦点距離      13.5018   33.0689   81.0015
Ｆナンバー     4.15076   5.13167   5.80068
画角        39.3542   19.1808    7.9232
像高        10.0000   10.8150   10.8150
ＢＦ        14.6000   14.6000   14.6000
d2           2.7655   16.9948   27.7019
d9          25.9558   11.7282    1.0000
d12         19.6131    8.6892    0.7000
d19          1.6000    4.4082   12.9018
d22          5.5374   13.6514   13.1681
入射瞳位置     24.8483   52.1429   78.9404
射出瞳位置    -72.6674  -74.1695  -63.6811
前側主点位置   35.8366   70.4535   56.9382
後側主点位置  103.3601   83.8590   36.0163
ズームレンズ群データ
群   始面    焦点距離  レンズ構成長    前側主点位置  後側主点位置
1      1    79.17270     9.63280         0.42220       3.91904
2      3   -13.34012    10.33260         0.60397       2.25328
3     10    97.05103     2.00960         0.66393       1.15243
4     13    20.37881    15.48990         4.23369       6.80180
5     20   -17.35657     5.46080         2.76808       5.39450
6     23    54.24941     4.00230         0.44082       1.78936
【０１４６】
以下の表１６に、各数値実施例のズームレンズ系における各条件の対応値を示す。
【０１４７】
表  １６（条件の対応値）
【表１】
2013218290.tif 000004
【０１４８】
以上のように、本開示における技術の例示として、実施の形態を説明した。そのために、添付図面および詳細な説明を提供した。
【０１４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５０】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５１】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【０１５２】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１５３】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2013218290.tif 000005
【図２】
2013218290.tif 000006
【図３】
2013218290.tif 000007
【図４】
2013218290.tif 000008
【図５】
2013218290.tif 000009
【図６】
2013218290.tif 000010
【図７】
2013218290.tif 000011
【図８】
2013218290.tif 000012
【図９】
2013218290.tif 000013
【図１０】
2013218290.tif 000014
【図１１】
2013218290.tif 000015
【図１２】
2013218290.tif 000016
【図１３】
2013218290.tif 000017
【図１４】
2013218290.tif 000018
【図１５】
2013218290.tif 000019
【図１６】
2013218290.tif 000020